(57)【要約】【課題】信号伝送線路を介して伝送される信号に生じる高周波減衰に起因する波形歪みや符号間干渉を緩和するためのレベル調整を容易に行うことのできる信号伝送用送受信装置を提供する。【解決手段】テスト信号発生回路１１は、波形調整の過程において、テスト信号を発生させる。比較電位発生回路１６は、伝送線路１４を通過する前のテスト信号の電圧値を基準電位として発生する。比較回路１７は、反射信号の電圧値と基準電位とを比較して電位差を求める。コントローラ１８は、その電位差から伝送線路１４の減衰特性による歪み量を求め、その歪み量に応じて送信信号を補償するように出力調整回路１２に指示する。出力調整回路１２は、その指示に従ってテスト信号および通常の送信信号を補償する。送信駆動回路１３は、出力調整回路１２で補償された信号を増幅し、伝送線路１４を介して受信装置２に送る。【選択図】　　　図１
2004112059.tif 000002
【特許請求の範囲】
【請求項１】
波形調整の過程において受信端を開放状態にする受信装置と、
波形調整の過程において、伝送線路を介して前記受信装置にテスト信号を送り、前記受信装置の前記受信端で反射してきた反射信号の電圧値と、前記伝送線路を通過する前の前記テスト信号の電圧値から求まる基準電位とを比較し、その電位差から前記伝送線路の減衰特性による歪み量を検知し、該歪み量に応じて送信信号を補償する送信装置とを有する信号伝送装置。
【請求項２】
前記送信装置は、前記歪み量に応じた強調度で高周波成分を強調することにより送信信号を補償する、請求項１記載の信号伝送装置。
【請求項３】
動作開始前に前記送信装置および前記受信装置を初期状態に設定するための初期トレーニングシーケンス課程の一部として波形調整の過程が組み込まれている、請求項１または２記載の信号伝送装置。
【請求項４】
前記送信装置は、送信信号を補償した後に再びテスト信号を送り、前記受信装置の前記受信端で反射してきた反射信号の電圧値と、前記伝送線路を通過する前の前記テスト信号の電圧値とを比較することにより、送信信号の補償が適切に行われているか否か確認する、請求項１〜３のいずれか１項に記載の信号伝送装置。
【請求項５】
前記送信装置は、送信信号の補償が適切に行われていれば、波形調整過程を正常終了し、適切に行われていなければ、その旨をユーザに通知する、請求項４記載の信号伝送装置。
【請求項６】
波形調整の過程において受信端を開放状態にする受信装置と伝送線路を介して接続された送信装置であって、
波形調整の過程において、テスト信号を発生させるテスト信号発生回路と、
前記テスト信号発生回路で発生したテスト信号および通常の送信信号を補償する出力調整回路と、
前記出力調整回路で補償され前記伝送線路を介して前記受信装置に送られたテスト信号が前記受信端で反射された反射信号ので電圧値と、前記伝送線路を通過する前の前記テスト信号の電圧値から求まる基準電位とを比較して電位差を求める比較回路と、
前記比較回路で求められた電位差から前記伝送線路の減衰特性による歪み量を求め、該歪み量に応じて送信信号を補償するように前記出力調整回路に指示するコントローラとを有する送信装置。
【請求項７】
前記コントローラは、前記歪み量に応じた強調度で高周波成分を強調するように前記出力調整回路に指示する、請求項６記載の送信装置。
【請求項８】
前記テスト信号発生回路は、前記出力調整回路が送信信号を補償した後に再びテスト信号を発生し、
前記比較回路は、再び送られた前記テスト信号が前記受信端で反射してきた反射信号の電圧値と前記基準電位とを比較することにより、送信信号の補償が適切に行われているか否か確認する、請求項６または７記載の送信装置。
【請求項９】
前記比較回路は、送信信号の補償が適切に行われていれば、波形調整過程を正常終了し、適切に行われいなければ、その旨をユーザに通知する、請求項８記載の送信装置。
【請求項１０】
波形調整の過程において受信端を開放状態にする受信装置と伝送線路を介して接続された送信装置であって、
波形調整の過程において、テスト信号を発生させるテスト信号発生回路と、
前記テスト信号発生回路で発生したテスト信号および通常の送信信号を補償する出力調整回路と、
前記出力調整回路で補償され前記伝送線路を介して前記受信装置に送られたテスト信号が前記受信端で反射された反射信号ので電圧値と、前記伝送線路を通過する前の前記テスト信号の電圧値から求まる基準電位とを比較して電位差を求め、該電位差をアナログ／ディジタル変換し、それによって得られたディジタルデータに応じて送信信号を補償するように前記出力調整回路に指示するディジタルコントローラとを有する送信装置。
【請求項１１】
前記ディジタルコントローラは、前記ディジタルデータに応じた強調度で高周波成分を強調するように前記出力調整回路に指示する、請求項１０記載の送信装置。
【請求項１２】
前記テスト信号発生回路は、前記出力調整回路が送信信号を補償した後に再びテスト信号を発生し、
前記ディジタルコントローラは、再び送られた前記テスト信号が前記受信端で反射してきた反射信号の電圧値と前記基準電位とを比較することにより、送信信号の補償が適切に行われているか否か確認する、請求項１０または１１記載の送信装置。
【請求項１３】
前記ディジタルコントローラは、送信信号の補償が適切に行われていれば、波形調整過程を正常終了し、適切に行われいなければ、その旨をユーザに通知する、請求項１２記載の送信装置。
【請求項１４】
前記伝送線路を通過する前の前記テスト信号の電圧値を前記基準電位として発生する比較電位発生回路をさらに有する、請求項６〜１３のいずれか１項に記載の送信装置。
【請求項１５】
前記出力調整回路で補償された信号を増幅し、前記伝送線路を介して前記受信装置に送る送信駆動回路をさらに有する、請求項６〜１４のいずれか１項に記載の送信回路。
【請求項１６】
動作開始前に初期状態を設定するための初期トレーニングシーケンス課程の一部として波形調整の過程が組み込まれている、請求項６〜１５のいずれか１項に記載の送信装置。
【発明の詳細な説明】
【０００１】
【発明の属する技術分野】
本発明は、信号伝送用の送受信装置に関し、特に、ＬＳＩ（Ｌａｒｇｅ　Ｓｃａｌｅ　Ｉｎｔｅｇｒａｔｅｄ　Ｃｉｒｃｕｉｔ）チップ間の信号伝送、あるいはチップ内の素子間や回路ブロック間の信号伝送に用いられる信号伝送用の送受信装置に関する。
【０００２】
【従来の技術】
近年、インターネット市場の活性化や、ネットワークの普及および拡大、プロセッサやストレージ機器などの高性能化がめざましい。例えば、ここ数年のＤＲＡＭおよびプロセッサの性能向上は著しく、パーソナルコンピュータでもＧｂｐｓクラスの性能を有している。また、家庭内のパーソナルコンピュータだけでなく、携帯電話を用いたインターネット接続により、屋外でも画像や動画を頻繁にやり取りするケースが増えてきた。
【０００３】
これらを実現するために、近年、ＬＳＩの高性能化および高速動作化が進められている。そして、ＬＳＩの高性能化および高速動作化に伴って、ＬＳＩのチップ間や、チップ内の素子間や回路ブロック間での信号伝送において高速化が必要とされている。例えば、プロセッサー間の信号伝送や、プロセッサーとメモリの間の信号伝送などにおいて高速化が必要とされている。さらに、マルチプロセッサのサーバを構成するための筐体間の接続や、サーバとストレージ機器その他周辺機器との接続においても信号伝送の高速化が必要とされている。
【０００４】
このように、システムやネットワークの性能は、サーバ間や筐体間、ＬＳＩチップ間の信号伝送速度、そしてチップ内の素子間や回路ブロック間の信号伝送速度によって決まるようになってきている。したがって、これら信号伝送の高速化が重要な課題となっている。
【０００５】
このような背景から、近年では、Ｇｂｐｓを超える高速信号伝送技術の開発が盛んである。従来から信号伝送用送受信回路では、信号伝送線路のインピーダンスに合わせて送信回路の出力インピーダンスを最適に調整することが行われている（特許文献１参照）。特許文献１によれば、信号伝送線路に接続された信号伝送用送信回路から発生する初期振幅電圧値を検出し、その電圧値により出力インピーダンスを制御する。したがって、信号伝送線路の接続変更などによりインピーダンスが変化しても、自動的に常に最適な出力インピーダンスが得られる。
【０００６】
しかし、信号伝送が非常に高速化すると、ケーブルやバックボード等の伝送路において表皮効果や誘電体損失に起因する高周波減衰により信号の波形歪みが生じる。
【０００７】
図７は、高速信号伝送による波形歪みの様子を示す図である。Ｇｂｐｓの高速信号伝送では信号が非常に高速で伝送されるので、コネクタ等を含むケーブルやボード等の伝送路を介して信号が伝播される過程で、表皮効果や誘電体損失に起因する高周波成分の減衰により受信端において図７に示すように波形が歪み、正確に受信することが困難となる。
【０００８】
従来より、それに対する対応方法が提案されている。従来方法の一例によれば、送信伝送用送信回路は、減衰により波形が歪む分だけ信号出力のレベル調整をすることにより、波形ひずみを補償する。周波数が高い程、レベルが低下し易いことから、このとき信号は波形のエッジ部を強調する処理が施される。この処理をエンファシス処理と呼ぶ。
【０００９】
図８は、従来の信号伝送用送信装置の一構成例を概略的に示したブロック図である。図８を参照すると、信号伝送用送信装置は、前段ドライバ９４、レベル調整回路９５および出力段ドライバ９１を有している。そして、信号伝送用送信装置は、信号伝送線路９３を介して信号伝送用受信装置のレシーバ９２に信号を送信している。信号伝送線路９３は、ＡＷＧ３０〜２８などの細い銅線で構成され、数メートル程度の長さである。
【００１０】
前段ドライバ９４は、送信信号の高周波成分の減衰を補償する。レベル調整回路９５は、前段ドライバ９４に調整レベルを与える。出力段ドライバ９１は前段ドライバ９４から出力された信号を信号伝送線路９３に送信する。
【００１１】
前段ドライバ９４へ入力された信号Ａは、レベル調整回路５および前段ドライバ９４によってレベル調整される。このとき、信号伝送線路９３による高周波成分の減衰を補償するために高周波成分が強調される。一般に信号伝送線路９３の長さや構造によって高周波成分の減衰量が異なる。そのため、レベル調整回路９５は、信号伝送線路９３における減衰量に応じて調整レベルを変化させる必要がある。
【００１２】
レベル調整された信号Ｂは、出力段ドライバ９１で増幅されて信号伝送線路９３に送信される。信号Ｂは信号伝送線路９３で歪まされる。信号伝送線路９３にて歪まされた信号Ｃは信号伝送用受信装置のレシーバ９２にて受信される。信号伝送線路９３で歪まされた信号Ｃは、前段ドライバ９４にて歪み分が予め補償されているので、レシーバ９２にて正常に受信することができる。
【００１３】
【特許文献１】
特開平１０−２６１９４８号公報
【００１４】
【発明が解決しようとする課題】
図８に示したような従来の信号伝送用送信装置は、信号伝送線路９３の長さや構造が変化して高周波成分の減衰量が変化しても、レシーバ９２において正常に受信できるようにレベル調整が可能である。しかし、このようなエンファシス処理では、例えばユーザが受信端における波形をモニタしながら手動で調整していた。
【００１５】
また、他の例として、ユーザが伝送路の長さ等から減衰量を算出し、それに基づいて手動で設定していた。図８に示した例では、信号伝送線路９３の長さや構造に応じて、レベル調整回路９５に対して操作をして前段ドライバ９４の信号のレベルを手動で調整していた。例えば、通信インターフェースが１００ｃｈ〜１０００ｃｈもあるような多チャンネルの装置はは、チャンネル毎に伝送媒体（バックボード、ケーブル等）の長さや構造が異なるので、各チャンネルについて最適な受信波形が得られるように調整する必要があり、ユーザに多大な労力を費やさせえいた。
【００１６】
また、図８に示した従来の信号伝送用送信装置では、信号伝送線路３の長さや構造、特性などが未知の場合、最適な受信波形が得られるまでユーザが試行錯誤で調整を繰り返す必要があり、ユーザは困難かつ多大な労力を強いられていた。
【００１７】
さらに、ケーブルの接続を変更するとき、従来の信号伝送用送信装置では、ユーザは一旦設定した調整レベルを再び手動で設定しなおす必要があり、煩わしさを伴っていた。
【００１８】
本発明の目的は、信号伝送線路を介して伝送される信号に生じる高周波減衰に起因する波形歪みや符号間干渉を緩和するためのレベル調整を容易に行うことのできる信号伝送用送受信装置を提供することである。
【００１９】
【課題を解決するための手段】
上記目的を達成するために、本発明の信号伝送装置は、波形調整の過程において受信端を開放状態にする受信装置と、波形調整の過程において、伝送線路を介して受信装置にテスト信号を送り、受信装置の受信端で反射してきた反射信号の電圧値と、伝送線路を通過する前のテスト信号の電圧値から求まる基準電位とを比較し、その電位差から伝送線路の減衰特性による歪み量を検知し、その歪み量に応じて送信信号を補償する送信装置とを有している。
【００２０】
したがって、送信装置は、受信装置の受信端での反射信号に基づいて歪み量を検知し、自動的に送信信号に対して歪み量を補償するので、長さや構成の異なる多チャンネルの伝送線路を接続する場合や、伝送線路の長さが未知の場合でも、個々の伝送線路について手動で調整する必要がなく、容易に送信信号の波形調整を行うことができる。
【００２１】
また、送信装置は、歪み量に応じた強調度で高周波成分を強調することにより送信信号を補償することとしてもよい。
【００２２】
したがって、送信装置は、反射信号に基づいて求めた歪み量に応じた強調度で高周波成分を強調するので、高速信号伝送において高周波減衰に起因する波形歪みが生じても、送信信号の高周波成分が強調されて受信端では良好な波形を得ることができる。
【００２３】
また、送信装置は、送信信号を補償した後に再びテスト信号を送り、受信装置の受信端で反射してきた反射信号の電圧値と、伝送線路を通過する前のテスト信号の電圧値とを比較することにより、送信信号の補償が適切に行われているか否か確認することとしてもよい。
【００２４】
したがって、送信装置は、送信信号を補償した後に、再びテスト信号を送って送信信号の補償が適切に行われているか否か確認する。
【００２５】
また、送信装置は、送信信号の補償が適切に行われていれば、波形調整過程を正常終了し、適切に行われていなければ、その旨をユーザに通知することとしてもよい。
【００２６】
本発明の送信装置は、波形調整の過程において受信端を開放状態にする受信装置と伝送線路を介して接続された送信装置であって、波形調整の過程において、テスト信号を発生させるテスト信号発生回路と、テスト信号発生回路で発生したテスト信号および通常の送信信号を補償する出力調整回路と、出力調整回路で補償され伝送線路を介して受信装置に送られたテスト信号が受信端で反射された反射信号ので電圧値と、伝送線路を通過する前のテスト信号の電圧値から求まる基準電位とを比較して電位差を求める比較回路と、比較回路で求められた電位差から伝送線路の減衰特性による歪み量を求め、その歪み量に応じて送信信号を補償するように出力調整回路に指示するコントローラとを有している。
【００２７】
また、コントローラは、歪み量に応じた強調度で高周波成分を強調するように出力調整回路に指示することとしてもよい。
【００２８】
また、テスト信号発生回路は、出力調整回路が送信信号を補償した後に再びテスト信号を発生し、比較回路は、再び送られたテスト信号が受信端で反射してきた反射信号の電圧値と基準電位とを比較することにより、送信信号の補償が適切に行われているか否か確認することとしてもよい。
【００２９】
また、比較回路は、送信信号の補償が適切に行われていれば、波形調整過程を正常終了し、適切に行われいなければ、その旨をユーザに通知することとしてもよい。
【００３０】
本発明の他の送信装置は、波形調整の過程において受信端を開放状態にする受信装置と伝送線路を介して接続された送信装置であって、波形調整の過程において、テスト信号を発生させるテスト信号発生回路と、テスト信号発生回路で発生したテスト信号および通常の送信信号を補償する出力調整回路と、出力調整回路で補償され伝送線路を介して受信装置に送られたテスト信号が受信端で反射された反射信号ので電圧値と、伝送線路を通過する前のテスト信号の電圧値から求まる基準電位とを比較して電位差を求め、その電位差をアナログ／ディジタル変換し、それによって得られたディジタルデータに応じて送信信号を補償するように前記出力調整回路に指示するディジタルコントローラとを有している。
【００３１】
また、ディジタルコントローラは、ディジタルデータに応じた強調度で高周波成分を強調するように前記出力調整回路に指示することとしてもよい。
【００３２】
また、テスト信号発生回路は、出力調整回路が送信信号を補償した後に再びテスト信号を発生し、ディジタルコントローラは、再び送られたテスト信号が受信端で反射してきた反射信号の電圧値と基準電位とを比較することにより、送信信号の補償が適切に行われているか否か確認することとしてもよい。
【００３３】
また、ディジタルコントローラは、送信信号の補償が適切に行われていれば、波形調整過程を正常終了し、適切に行われいなければ、その旨をユーザに通知することとしてもよい。
【００３４】
本発明の送信装置の一態様によれば、伝送線路を通過する前のテスト信号の電圧値を基準電位として発生する比較電位発生回路をさらに有している。
【００３５】
本発明の送信装置の一態様によれば、出力調整回路で補償された信号を増幅し、伝送線路を介して受信装置に送る送信駆動回路をさらに有している。
【００３６】
また、本発明の一態様によれば、動作開始前に送信装置および受信装置を初期状態を設定するための初期トレーニングシーケンス課程の一部として波形調整の過程が組み込まれている。
【００３７】
したがって、初期トレーニングシーケンスにおいて波形調整が行われるので、ユーザは特に意識しなくとも、装置立ち上げ時などには必ず波形調整される。
【００３８】
【発明の実施の形態】
本発明の実施形態について図面を参照して詳細に説明する。
【００３９】
図１は、本発明の第１の実施形態の信号伝送用送受信装置の構成を示す概略回路図である。図１を参照すると、信号伝送用送信装置１と信号伝送用受信装置２とが信号伝送線路１４を介して接続されている。信号伝送線路１４は、例えばＡＷＧ２８〜３０などの細い銅線であり、数メートル程度の長さである。
【００４０】
信号伝送用送信装置１は、テスト信号発生回路１１、出力強度調整用回路１２、送信駆動回路１３、比較電位発生回路１６、比較回路１７およびコントローラ１８を有している。信号伝送用受信装置２は受信回路１５を有している。
【００４１】
テスト信号発生回路１１は、信号伝送の初期トレーニングシーケンスにおいて、例えばステップパルスのテスト信号を発生する。初期トレーニングシーケンスとは、装置起動時や再開時などに、通常動作を開始する前に実施され、各部の状態を初期化または最適化する一連の処理である。ここでは初期トレーニングシーケンスの中に、信号伝送が正常に行えるようにするために、信号伝送用送信装置１の出力波形を自動的に調整する処理が含まれている。
【００４２】
出力強度調整用回路１２は、テスト信号発生回路１１から発生された信号の波形を、コントローラ１８からの制御に従って調整する。このとき、出力強度調整用回路１２は、コントローラ１８からの制御に応じた強調度（エンファシスの強度）で、信号の高調波成分を強調することにより波形調整を行う。
【００４３】
送信駆動回路１３は、出力強度調整用回路１２によって波形を調整された信号を増幅して信号伝送線路１４に送信する。
【００４４】
比較電位発生回路１６は波形調整の基準となる比較電位を発生する。比較電位は、信号伝送線路１４を通過する前のテスト信号の電圧値、またはその電圧値から求められる値である。
【００４５】
比較回路１７は、送信駆動回路１３から信号伝送線路１４を介して受信回路１５の受信端で反射された信号が信号伝送線路１４を介して入力される。また、比較回路１７には比較電位発生回路１６によって発生した比較電位が入力される。そして、比較回路１７は、それらを比較することにより、信号伝送線路１４における高周波減衰による波形歪みを求める。
【００４６】
コントローラ１８は、比較回路１７によって求められた波形歪みに応じて、出力波形を調整するための制御信号を発生する。
【００４７】
信号伝送用受信装置２は、受信回路１５を有している。受信回路１５はレシーバ回路と終端回路からなる。信号伝送用受信装置２は、信号伝送用送信装置１から送信された信号を受信回路１５によって受信する。また、初期トレーニングシーケンスでは、信号伝送用受信装置２は受信端の終端を開放状態にし、信号伝送用送信装置１からの信号を全反射する。
【００４８】
なお、信号伝送線路１４の長さや構造が変化すれば、伝送される信号の高周波成分の減衰量も変化する。そのため、出力強度調整用回路１２における調整範囲は可変にしてあるとよい。
【００４９】
以上のように、信号伝送用送信装置１は、信号伝送線路１４における高周波成分の減衰を補償するように、出力強度調整回路２によって予め高周波成分を強調する構成となっている。これにより、信号伝送線路１４を通過して高周波成分が減衰されて受信回路１５の受信端に到達した信号は、歪や符号間干渉のない良好な波形となっている。
【００５０】
図２は、本発明の第１の実施形態の信号伝送用送受信装置による信号伝送の様子を示す図である。図２（ａ）は、波形調整しない場合の送信駆動回路１３からの送信信号の波形であり、図２（ｂ）は伝送線路１４を介して受信回路１５で受信された信号の波形である。図２（ｃ）は、波形調整した場合の送信駆動回路１３からの送信信号の波形であり、図２（ｄ）は伝送線路１４を介して受信回路１５で受信された信号の波形である。
【００５１】
出力強度調整用回路１２において波形調整せず、送信側駆動回路１３から図２（ａ）に示すような波形の信号を送信すると、信号伝送線路１４による高周波減衰の影響を受けて、受信回路１５の受信端での波形は図２（ｂ）に示すように符号間干渉や歪みの大きい波形となる。
【００５２】
これに対して、予め出力強度調整用回路１２において波形調整して、送信側駆動回路３から図２（ｃ）に示すような波形の信号を送信すると、受信回路１５の受信端での波形は図２（ｄ）に示すように高周波成分の減衰が補償され、歪みや符号間干渉のない良好な波形となる。
【００５３】
装置の初期トレーニングシーケンスの際に、信号伝送用受信装置２が受信回路１５の受信端を開放状態に設定する。そして、信号伝送用送信装置１は、テスト信号発生回路１１から例えばステップパルスのテスト信号を発生する。このテスト信号は信号伝送線路１４を通過し受信回路１５の受信端に到達する。受信回路１５の受信端は開放状態に設定されているため、テスト信号を全反射する。全反射されて戻った信号（以下、反射信号と称す）は比較回路１７に入力される。比較回路１７は、反射信号の電位と、比較電位発生回路１６によって発生された比較電位とを比較して電位差を求める。
【００５４】
コントローラ１８は、比較回路１７にて求められた電位差によって高周波減衰の大きさを判断する。このときコントローラ１８は電位差が大きければ、高周波減衰が大きいと判断する。そして、高周波減衰が大きいと判断すると、コントローラ１８は出力強度調整用回路１２に制御信号を送り、高周波減衰の大きさに応じて高周波成分を強調するように指示する。出力強度調整用回路１２は、コントローラ１８からの指示に従って信号波形を強調する。
【００５５】
このようにして、初期トレーニングシーケンスにより、信号伝送用送信回路１から送信される信号は、信号伝送線路１４の特性に応じて自動的に高周波成分が強調された波形となる。
【００５６】
これにより、信号伝送線路１４の長さや構造が未知の場合においても、ユーザが手動で送信信号の波形を調整する必要がなく、自動で容易に波形が調整され、良好な信号伝送が可能となる。
【００５７】
なお、本実施形態による信号伝送用送受信装置においては、テスト信号発生回路１１からテスト信号を発生し、送信波形を調整する過程を、初期トレーニングシーケンスに含めることにより、装置立ち上げ時などに自動的に波形調整が行われこととしたが、本発明はそれに限定されない。例えば、送信波形を調整する過程は、ユーザの任意でも開始できることとしてよい。
【００５８】
図３は、本発明の第２の実施形態の信号伝送用送受信装置の構成を示す概略回路図である。第２の実施形態の信号伝送用送受信装置は、波形の調整を行う調整モードと、調整結果を確認する確認モードの２つの過程を経て送信信号の波形を調整する。
【００５９】
図３を参照すると、信号伝送用送信装置３と信号伝送用受信装置２とが信号伝送線路１４を介して接続されている。信号伝送用受信装置２と信号伝送線路１４は図１に示した第１の実施形態と同じものである。
【００６０】
信号伝送用送信装置３は、テスト信号発生回路２１、出力強度調整用回路１２、送信駆動回路１３、比較電位発生回路２２、比較回路２３およびコントローラ１８を有している。出力強度調整用回路１２、送信駆動回路１３およびコントローラ１８は図１に示した第１の実施形態と同じものである。
【００６１】
テスト信号発生回路２１は、例えばステップパルスのテスト信号を発生すると、その旨の信号２４を比較電位発生回路６に伝達する。また、テスト信号発生回路２１は、１回目のテスト信号を発生した後、比較回路２３から比較終了通知の信号２５を受けると、２回目のテスト信号を発生すると共に、確認モードへの切り替えを示す信号２６を比較回路２３に伝達する。
【００６２】
比較電位発生回路２２は、テスト信号発生回路２１からテスト信号を発生した旨の信号２１を受けると比較電位を発生する。
【００６３】
比較回路２３は、１回目のテスト信号による反射信号の電位を比較電位と比較すると、その結果をコントローラ１８に通知すると共に、１回目の比較が終了した旨を通知する信号２５をテスト信号発生回路２１に送る。
【００６４】
また、比較回路２３は、テスト信号発生回路２１から確認モードへの切り替えを示す信号２６を受けた後に、２回目のテスト信号による反射信号の電位と比較電位とを比較する。そして、比較回路２３は、比較結果から出力信号の波形が適切に調整されたか否か判断し、その結果を示す信号２７を出力する。信号２７に出力された判断結果は例えばユーザに対して表示される。
【００６５】
波形が適切に調整されたか否かの確認は、例えば、比較結果の電位差が調整の必要がない程度まで改善されているか否かによって行うことができる。
【００６６】
確認モードにおいて比較回路２３は、反射信号の電位を比較電位と比較して、調整の必要がない状態であれば、適切に調整されたと判断する。また、さらに調整が必要な状態であれば、適切に調整されていないと判断する。
【００６７】
図４は、本発明の第２の実施形態による信号伝送用送受信装置の波形調整動作を示すフローチャートである。図４によれば、まず、テスト信号発生回路２１からテスト信号が発生され調整動作が開始される（ステップＡ１）。テスト信号は出力強度調整用回路１２および送信駆動回路１３を経て信号伝送線路１４に送信される。信号伝送線路１４から受信回路１５に達したテスト信号は、受信回路１５の受信端が開放状態なので全反射され、比較回路２３に入力する。また、テスト信号発生回路２１からの信号２４によりテスト信号が発生したことを知った比較電位発生回路２２は比較電位を発生する。
【００６８】
受信回路１５の受信端にて全反射した反射信号は比較回路２３にて検出される（ステップＡ２）。比較回路２３は、反射信号を検出すると、比較電位と比較し、波形のエンファシスの強度を切り替える必要があるか否か判定する（ステップＡ３）。
【００６９】
エンファシスの強度を切り替える必要がなければ、信号伝送用送受信回路は調整動作を終了する（ステップＡ７）。
【００７０】
エンファシスの強度を切り替える必要があれば、コントローラ１８が比較回路２３の比較結果に応じた制御信号を生成して出力強度調整用回路１２に送る。出力強度調整用回路１２は、その制御信号に従ってエンファシスの強度を切り替える（ステップＡ４）。
【００７１】
反射信号と比較電位の比較を終えた比較回路２３は、その旨をテスト信号発生回路２１に通知する。それを受けたテスト信号発生回路２１は、２回目のテスト信号を発生させる（ステップＡ５）。
【００７２】
２回目のテスト信号による反射信号を検出すると、比較回路２３は反射信号と比較電位とを比較し、波形調整が適切に行われているか否か判定する（ステップＡ６）。
【００７３】
波形調整が適切に行われていれば、比較回路２３はその旨の信号２７に出力し、信号伝送用送受信装置は調整動作を完了する（ステップＡ７）。波形調整が適切に行われていなければ、比較回路２３はその旨の信号２７に出力し、信号伝送用送受信装置は調整動作をエラーにより終了する（ステップＡ８）。
【００７４】
以上説明したように本実施形態によれば、ユーザは出力信号の波形調整が適切に行われたか否か信号２７により知ることができるので、適切に波形調整がされなかった場合に、例えば自動の波形調整を再度実施するか否か、手動によるなどの他の方法での波形調整を行うか否かなどの判断ができ、波形調整がさらに容易となる。
【００７５】
図５は、本発明の第３の実施形態の信号伝送用送受信装置の構成を示す概略回路図である。第３の実施形態の信号伝送用送受信装置は、比較電位と反射信号の電位の比較結果をアナログ／ディジタル変換し、ディジタルデータの制御信号を用いてエンファシスの強度を調整するものである。
【００７６】
図５を参照すると、信号伝送用送信装置４と信号伝送用受信装置２とが信号伝送線路１４を介して接続されている。信号伝送用受信装置２と信号伝送線路１４は図３に示した第２の実施形態と同じものである。
【００７７】
信号伝送用送信装置４は、テスト信号発生回路２１、出力強度調整用回路１２、送信駆動回路１３、比較電位発生回路２２およびアナログ／ディジタルコンバータ３１を有している。テスト信号発生回路２１、出力強度調整用回路１２、送信駆動回路１３および比較回路１８は図３に示した第２の実施形態と同じものである。
【００７８】
本実施形態では、第２の実施形態における比較回路２３およびコントローラ１８の代わりに、アナログ／ディジタルコンバータ（Ａ／Ｄコンバータ）３１が設けられている。
【００７９】
アナログ／ディジタルコンバータ３１はアナログ／ディジタル変換回路を含み、反射信号を検出するとその電位と比較電位との差を求め、その電位差をアナログ／ディジタル変換してディジタルデータの制御信号を出力強度調整用回路１２に送るディジタルコントローラである。
【００８０】
例えば、アナログ／ディジタルコンバータ３１に含まれるアナログ／ディジタル変換回路が２ビット出力であれば、エンファシスの強度を４段階（００，０１，１０，１１）に切り替えることができる。また、アナログ／ディジタル変換回路が３ビット出力であれば、エンファシスの強度を８段階（０００，００１，０１０，０１１，１００，１０１，１１０，１１１）に切り替えることができる。また、１ビット出力であれば、２段階（０，１）に切り替えることができる。
【００８１】
したがって、本実施形態によれば、エンファシスの強度を複数段に切り替えることができるので、精度の高い波形調整が可能である。また、アナログ／ディジタル変換回路の出力ビット数を選択することにより、エンファシスの強度の切り替え範囲および精度を選択することができる。例えば、想定される信号伝送線路の長さや構造、特性に応じて切り替え範囲および制度を選択して出力ビット数を決定すればよい。
【００８２】
図６は、本発明の第３の実施形態のアナログ／ディジタルコンバータの具体的な回路図の一例である。図６を参照すると、１ビット出力のアナログ／ディジタル変換回路が用いられている。差動回路の一方に比較電位が入力され、他方に反射信号が入力されている。それらが比較され、比較結果がＦＦでラッチされる。
【００８３】
【発明の効果】
本発明によれば、送信装置は、受信装置の受信端での反射信号に基づいて歪み量を検知し、自動的に送信信号に対して歪み量を補償するので、長さや構成の異なる多チャンネルの伝送線路を接続する場合や、伝送線路の長さが未知の場合でも、個々の伝送線路について手動で調整する必要がなく、容易に送信信号の波形調整を行うことができ、受信装置の受信端にて良好な波形となるように自動的に調整することができる。
【００８４】
また、本発明によれば、送信装置は、反射信号に基づいて求めた歪み量に応じた強調度で高周波成分を強調するので、高速信号伝送において高周波減衰に起因する波形歪みが生じても、送信信号の高周波成分が強調されて受信端では良好な波形を得ることができ、Ｇｂｐｓの高速信号伝送において容易に良好な性能の信号伝送を得ることができる。
【００８５】
また、本発明によれば、送信装置は、送信信号を補償した後に、再びテスト信号を送って送信信号の補償が適切に行われているか否か確認するので、補償が適切に行われたか否かをユーザは容易に知ることができる。
【００８６】
また、本発明によれば、初期トレーニングシーケンスにおいて波形調整が行われるので、ユーザは特に意識しなくとも、装置立ち上げ時などには必ず波形調整され、受信装置の受信端にて良好な波形となる。
【図面の簡単な説明】
【図１】本発明の第１の実施形態の信号伝送用送受信装置の構成を示す概略回路図である。
【図２】本発明の第１の実施形態の信号伝送用送受信装置による信号伝送の様子を示す図である。
【図３】本発明の第２の実施形態の信号伝送用送受信装置の構成を示す概略回路図である。
【図４】本発明の第２の実施形態による信号伝送用送受信装置の波形調整動作を示すフローチャートである。
【図５】本発明の第３の実施形態の信号伝送用送受信装置の構成を示す概略回路図である。
【図６】本発明の第３の実施形態のアナログ／ディジタルコンバータの具体的な回路図の一例である。
【図７】高速信号伝送による波形歪みの様子を示す図である。
【図８】従来の信号伝送用送信装置の一構成例を概略的に示したブロック図である。
【符号の説明】
１，３，４　　信号伝送用送信装置
２　　信号伝送用受信装置
１１，２１　　テスト信号発生回路
１２　　出力強度調整用回路
１３　　送信駆動回路
１４　　信号伝送線路
１５　　受信回路
１６，２２　　比較電位発生回路
１７，２３　　比較回路
１８　　コントローラ
２４〜２７　　信号
３１　　アナログ／ディジタルコンバータ
Ａ１〜Ａ８　　ステップ
【図１】
2004112059.tif 000003
【図２】
2004112059.tif 000004
【図３】
2004112059.tif 000005
【図４】
2004112059.tif 000006
【図５】
2004112059.tif 000007
【図６】
2004112059.tif 000008
【図７】
2004112059.tif 000009
【図８】
2004112059.tif 000010